(57)【要約】本発明は、特に、手で食器洗浄するのに好適な洗浄組成物を染みこませたワイプに関する。本発明によれば、洗浄組成物が適応された水不溶性基材を含むワイプであって：前記洗浄組成物が、  （ａ）界面活性剤、  （ｂ）陰イオン性側鎖を有する水溶性増粘ポリマー、好ましくは多糖類又は多糖類誘導体、最も好ましくはキサンタンガム又はその誘導体、及び  （ｃ）界面活性剤から水を抜き取ることが可能な水移動剤好ましくはシリカ、最も好ましくは燻蒸シリカ、を含むワイプが提供される。【特許請求の範囲】
【請求項１】
洗浄組成物が適用された水不溶性基材を含むワイプであって：
前記洗浄組成物が、
（ａ）界面活性剤、
（ｂ）陰イオン性側鎖及び／又は洗浄組成物それ自体において陰イオン性である側鎖を有する水溶性増粘ポリマー、及び
（ｃ）前記界面活性剤から水を抜き取ることが可能な水移動剤
を含む、前記ワイプ。
【請求項２】
前記水溶性増粘ポリマーが陰イオン性側鎖を有する、請求項１に記載のワイプ。
【請求項３】
前記側鎖がカルボキシレート側鎖である、請求項１に記載のワイプ。
【請求項４】
前記水溶性増粘ポリマーが多糖類又は多糖類誘導体である、請求項１に記載のワイプ。
【請求項５】
前記多糖類又は多糖類誘導体が、約１×１０3〜約９×１０7、好ましくは約５×１０5〜約５×１０6の分子量を有する、請求項４に記載のワイプ。
【請求項６】
前記多糖類又は多糖類誘導体が、キサンタンガム及びそれらの誘導体類、セルロース、変性セルロース、グアーガム及びアラビアゴム及びこれらの混合物からなる群から選択され、好ましくはキサンタンガム又はそれらの誘導体である、請求項４に記載のワイプ。
【請求項７】
前記水溶性増粘ポリマーが、ポリビニルアルコール、ポリアクリル酸、ポリビニルピロリドン、及びそれらの混合物からなる群から選択される、請求項１に記載のワイプ。
【請求項８】
前記水溶性増粘ポリマーが、１０，０００〜６０，０００ダルトンの分子量を有し、且つ部分的に加水分解され、好ましくは８５％〜９０％加水分解された、ポリビニルアルコールである、請求項７に記載のワイプ。
【請求項９】
前記水移動剤が、無機酸化物及び塩、好ましくは水和可能な酸化物及び塩、より好ましくはケイ素、アルミニウム、亜鉛、ホウ素、リン、アルカリ土類金属及びアルカリ金属の酸化物及び塩、並びにこれらの混合物からなる群から選択され、最も好ましくはシリカ、マグネシウムの塩、及びそれらの混合物から成る群から選択される、請求項１に記載のワイプ。
【請求項１０】
前記水移動剤が、シリカ、好ましくは非晶性燻蒸シリカを含む、請求項９に記載のワイプ。
【請求項１１】
前記シリカが、約５０〜約８００ｍ2／ｇのＢＥＴによって測定される表面積を有する、請求項１０に記載のワイプ。
【請求項１２】
前記シリカが約０．０５〜約１μｍ、好ましくは約０．２〜約０．３μｍの平均粒径を有する、請求項１０に記載のワイプ。
【請求項１３】
前記基材に適用された前記洗浄組成物の量が、水不溶性基材１ｃｍ2当たり約０．００５〜約２ｇ、好ましくは約０．０１〜約１ｇである、請求項１に記載のワイプ。
【請求項１４】
前記洗浄組成物が、前記洗浄組成物の約２．５〜約１５重量％、好ましくは約５〜約１０重量％の水溶性増粘ポリマーを含む、請求項１に記載のワイプ。
【請求項１５】
前記洗浄組成物が、前記洗浄組成物の約２．５〜約１５重量％、好ましくは約５〜約１０重量％の水移動剤を含む、請求項１に記載のワイプ。
【請求項１６】
前記洗浄組成物が、
（ａ）前記基材の領域の約７０〜約９５％を覆う単一の均一層として、又は
（ｂ）１〜６ストリップ、好ましくは３〜６ストリップを含み、各ストリップが約３〜約１５ｍｍの幅を有するストリップパターンにおいて、
前記基材に適用される、請求項１に記載のワイプ。
【請求項１７】
洗浄組成物が適用された水不溶性基材を含むワイプであって：
前記洗浄組成物が、
（ａ）界面活性剤、及び
（ｂ）前記洗浄組成物の少なくとも約３重量％のキサンタンガム又はそれらの誘導体
を含む、前記ワイプ。
【請求項１８】
前記洗浄組成物が、前記界面活性剤から水を抜き取ることが可能な水移動剤をさらに含む、請求項１７に記載のワイプ。
【請求項１９】
以下の工程を含む表面洗浄方法であって：
界面活性剤、
陰イオン性側鎖及び／又は洗浄組成物それ自体において陰イオン性である側鎖を有する水溶性増粘ポリマー、及び
前記界面活性剤から水を抜き取ることが可能な水移動剤
を含む洗浄組成物が適用された使い捨てワイプを提供する工程、
前記ワイプを水で濡らす工程、及び
汚れを除去するために、前記濡れたワイプを汚れた食器に適用する工程
を含む、前記表面洗浄方法。
【請求項２０】
以下の工程を含む表面洗浄方法であって：
界面活性剤、
陰イオン性側鎖及び／又は洗浄組成物それ自体において陰イオン性である側鎖を有する水溶性増粘ポリマー、及び
前記界面活性剤から水を抜き取ることが可能な水移動剤
を含む洗浄組成物が適用された使い捨てワイプを提供する工程、
汚れた表面を水で濡らす工程、及び
汚れを除去するために、前記ワイプを濡れている汚れた食器に適用する工程
を含む、前記表面洗浄方法。
【請求項２１】
洗浄組成物が適用された水不溶性基材を含むワイプであって：
前記洗浄組成物が、
（ａ）界面活性剤、
（ｂ）前記洗浄組成物の約５〜約９重量％の、陰イオン性側鎖及び／又は洗浄組成物それ自体において陰イオン性である側鎖を有する水溶性増粘ポリマー
を含む、前記ワイプ。
【請求項２２】
水溶性増粘ポリマーの量が、前記組成物の約６〜約７重量％である、請求項２１に記載のワイプ。
【請求項２３】
前記組成物が、前記界面活性剤から水を抜き取ることが可能な水移動剤をさらに含む、請求項２１に記載のワイプ。
【請求項２４】
洗浄組成物が適用された水不溶性材料を含むワイプであって：
前記洗浄組成物が、
（ａ）界面活性剤、及び
（ｂ）前記界面活性剤から水を抜き取ることが可能な水移動剤
を含み、
ただし、前記基材が、水不溶性基材ではなく、以下：
（１）部分的に疎水性の不織布である第１層；及び
（２）低密度不織布であり、前記第１層に隣接し、前記第１層から離れた側面上に熱可塑性材料の結節又はフックの研磨コーティングが溶融された第２層を含む、前記ワイプ。
【請求項２５】
前記組成物は、陰イオン側鎖及び／又は洗浄組成物自体において陰イオン性である側鎖を有する水溶性増粘ポリマーをさらに含む、請求項２４に記載のワイプ。
【請求項２６】
以下の工程を含む食器ケア方法であって：
（ａ）界面活性剤、及び
陰イオン性側鎖及び／又は洗浄組成物それ自体における場合陰イオン性である側鎖を有する水溶性増粘ポリマー
を含む洗浄組成物が適用された水不溶性基材を含む使い捨てワイプを提供する工程、
汚れた食器を提供する工程、及び
（１）前記ワイプを水で濡らし、汚れを除去するために前記濡れたワイプを前記汚れた食器に適用する工程、又は
（２）前記汚れた食器を濡らし、汚れを除去するために前記ワイプを前記濡れている汚れた食器に適用する工程
を含む、前記食器ケア方法。
【請求項２７】
前記組成物が、前記界面活性剤から水を抜き取ることが可能な水移動剤をさらに含む、請求項２６に記載の方法。
【請求項２８】
本明細書中に記載されるプロトコルを用いて、少なくとも１６、好ましくは少なくとも１８、さらに好ましくは少なくとも２０、なおさらに好ましくは少なくとも２５、最も好ましくは少なくとも３０枚の、５ｇの汚れを有する２４ｃｍ直径の皿を効果的に洗浄可能な食器用使い捨てワイプ。
【請求項２９】
本明細書中に記載されるプロトコルを用いて、少なくとも１２、好ましくは少なくとも１５、さらに好ましくは少なくとも２０、最も好ましくは少なくとも２５枚の皿を洗浄した後に、本明細書中に記載されるスケールで少なくとも等級３の泡を示すことが可能な、食器用使い捨てワイプ。
【請求項３０】
洗浄組成物を染みこませた食器用スポンジであって：
前記洗浄組成物が、
（ａ）界面活性剤、
（ｂ）陰イオン性側鎖及び／又は洗浄組成物それ自体において陰イオン性である側鎖を有する水溶性増粘ポリマー、及び
前記界面活性剤から水を抜き取ることが可能な水移動剤
を含む、前記食器用スポンジ。
【請求項３１】
洗浄組成物を染みこませた食器用スポンジであって：
前記洗浄組成物が、
（ａ）界面活性剤、及び
（ｂ）前記洗浄剤組成物の少なくとも約３重量％のキサンタンガム又はそれらの誘導体
を含む、前記食器用スポンジ。
【請求項３２】
洗浄組成物を染みこませた食器用スポンジであって：
前記洗浄組成物が、
（ａ）界面活性剤、及び
（ｂ）前記洗浄組成物の５〜９重量％の、陰イオン性側鎖及び／又は洗浄組成物それ自体において陰イオン性である側鎖を有する水溶性増粘ポリマー
を含む、前記食器用スポンジ。
【請求項３３】
洗浄組成物を染みこませた食器用スポンジであって：
前記洗浄組成物が、
（ａ）界面活性剤、及び
（ｂ）前記界面活性剤から水を抜き取ることが可能な水移動剤
を含む、前記食器用スポンジ。
【発明の詳細な説明】
【技術分野】
【０００１】
本発明は、表面、特に手で食器洗浄するのに使用するのに好適なワイプに関する。特に、本発明は、手で食器洗浄するのに好適な洗浄組成物を染みこませた物品に関する。
【背景技術】
【０００２】
洗浄、特に手での食器洗浄及び硬質表面洗浄に好適なワイプで、界面活性剤を染みこませている物品は、かねてから知られている。このような物品は、洗浄器具及び洗浄組成物を別個に貯蔵する必要をなくし、迅速かつ容易に使用でき、消費者によって簡便であるため望ましい。例えば、ＥＰ２１１  ６６４は、界面活性剤がポリマー中に封じ込められ、シート状物品に染みこませた、洗浄のための物品を開示する。米国特許第４  ５１５７０３号は、活性物質のための区画を有する閉じられたサンドイッチ構造を形成する２つの層を備える拭き取りのための物品を開示する。
【０００３】
界面活性剤を染みこませたワイプが知られているが、今までに、これらは活性な界面活性剤物質を望ましくない程度ですばやく放出する傾向があり、洗浄性能は不満足なものであった。界面活性剤が非常にすばやく溶解する場合、ワイプの初期の使用では高い泡レベルが得られるが、短期間に界面活性剤の供給が尽きてしまう。この放出プロフィールは、洗浄の開始時に過剰の泡を生じる。消費者は高い泡レベルを一般的に有利なものであるとして認識するが、過剰な泡の存在はアイテムのすすぎを困難にする。さらに、界面活性剤が短期間においてのみ利用可能であることに起因して、洗浄の最後の方では、洗浄性能が低くなる。
【０００４】
このような問題を克服する企てがなされた。例えば、ＥＰ１６１９１１は、洗剤の放出がワックスのような疎水性物質を含む水分バリアによって制御される、硬質表面洗浄のためのワイプを開示する。しかし、このことは、界面活性剤を含有する洗浄組成物に加えて、ワイプに疎水性物質を適用するために、別個の適用工程を必要とする。
【０００５】
本発明者らの初期の出願ＰＣＴ国際公開特許ＷＯ０２／４１７４８において、本発明者らは、食器洗浄組成物を染みこませた食器洗浄用ワイプを記載する。この出願は、本質的に中性のポリマーであるヒドロキシプロピルメチルセルロースＨＭＰＣを増粘剤として使用して、ワイプからの組成物の放出を制御することを示唆する。さらに、酵素のような成分及びこれらの物質を組成物に添加するためのキャリアとしてのデリケート成分と共に、混合物中で多孔質疎水性シリカを使用する別個の示唆も存在する。疎水性シリカは、疎水性物質を吸着することができる。
【発明の開示】
【発明が解決しようとする課題】
【０００６】
硬質表面洗浄、特に手で食器洗浄するために好適な、洗浄組成物を染みこませ、この洗浄組成物が制御された時間で放出されるワイプを提供することが望ましい。
【課題を解決するための手段】
【０００７】
界面活性剤のための新規な制御された放出システムを洗浄ワイプに組み込むことによって、界面活性剤システムの寿命を増やし、さらに長い期間にわたって改良された洗浄性能を得ることが可能であることがわかった。
【０００８】
従って、本発明の第１の態様によれば、洗浄組成物が適用された水不溶性基材を含むワイプであって：前記洗浄組成物が、
（ａ）界面活性剤、
（ｂ）陰イオン性側鎖及び／又は洗浄組成物それ自体において陰イオン性である側鎖を有する水溶性増粘ポリマー、及び
（ｃ）界面活性剤から水を抜き取ることが可能な水移動剤、を含むワイプが提供される。
【０００９】
界面活性剤と、定義された水溶性増粘ポリマー及び界面活性剤から水を抜き取ることが可能な水移動剤とを混合することによって、界面活性剤がワイプからさらにゆっくりと放出され、上に列挙される問題を克服することがわかった。
【００１０】
水溶性増粘ポリマー及び水移動剤の両方を含むことにより、水移動剤及び水溶性増粘ポリマーを含まない洗浄組成物よりも、洗浄組成物から水を迅速に蒸発させて乾燥させる構造化環境を作り出すと考えられる。このことは、界面活性剤の放出を制御することに貢献すると本発明者らは考える。好ましくは、本発明のワイプは、洗浄組成物が１５％を超えない、好ましくは１０％を超えない濃度の遊離水を有するものである。遊離水は、共沸蒸留によって容易に失うことが可能な、水の全組成物重量に対するパーセントとして測定可能である。
【００１１】
特定の量の水溶性増粘ポリマーを選択することによって、特定のニーズに従って、界面活性剤の放出プロフィールを制御可能である。好ましくは、基材に適応された組成物は、組成物の２．５〜１５重量％、さらに好ましくは、５〜１０重量％、なおさらに好ましくは、５〜９重量％の水溶性増粘ポリマーを含む。最も好ましくは、組成物は、約７％の水溶性増粘ポリマーを含む。
【００１２】
それ故に、本発明のさらなる態様によれば、洗浄組成物が適応された水不溶性基材を含むワイプであって：前記洗浄組成物が、
（ａ）界面活性剤、及び
（ｂ）陰イオン性側鎖及び／又は洗浄組成物それ自体において陰イオン性である側鎖を有する水溶性増粘ポリマー５〜９重量％、を含むワイプが提供される。
【００１３】
キサンタンガムは、本発明のワイプにおいて特に有用な水溶性増粘ポリマーであることがわかった。それ故に、本発明のさらなる態様によれば、洗浄組成物が適応された水溶性基材を含むワイプであって：前記洗浄組成物が、
（ａ）界面活性剤、及び
（ｂ）基剤に適応された組成物の少なくとも３重量％のキサンタンガム又はそれらの誘導体、を含むワイプが提供される。
【発明を実施するための最良の形態】
【００１４】
（界面活性剤）
好ましくは、本発明の組成物中で使用される界面活性剤は、陰イオン性界面活性剤、両性界面活性剤、非イオン性界面活性剤、双極イオン性界面活性剤、及びそれらの混合物からなる群から選択される。好ましくは、組成物は陰イオン性界面活性剤を含む。好ましい陰イオン性界面活性剤としては、アルキルエトキシサルフェート類が挙げられる。好ましい非イオン性界面活性剤としては、アルコールエトキシレート類が挙げられる。好ましい両性界面活性剤としては、アミンオキシド類が挙げられる。
【００１５】
界面活性剤は、洗浄性能を高めるためのさらなる成分と混合されてもよい。例えば、（メタ）アクリレートポリマー、例えば、ポリジメチルアミノエチルメタクリレートは、泡特性を高めるために使用されてもよい。グリース洗浄は、１，３−シクロヘキサンビス（メチルアミン）のようなアミン類を使用することによって高めることができる。Ｍｇ2+のような多価の陽イオンもまた、グリース洗浄を高めるために有用である。
【００１６】
本発明の好ましい実施形態では、界面活性剤は、濃縮した界面活性剤ペーストの形態で基材に適用される。「ペースト」とは、物質が固体状態であり、所与の降伏応力に付される場合、その形状を連続的に変えないものを意味する。洗浄ペーストは圧力増加下で流動し、その温度上昇にともなって粘度が低下する。
【００１７】
（水溶性増粘ポリマー）
基材に適応された組成物は、陰イオン性側鎖及び／又は洗浄組成物自体において陰イオン性である側鎖を有する水溶性増粘ポリマーを含む。このポリマーが、界面活性剤ミセルを凝集するために好ましい三次元部位を水不溶性基材上に作り出すと本発明者らは考える。さらに、このポリマーは、ワイプが使用される場合、水と接触する領域で、界面活性剤を含有する組成物の界面溶液粘度を高めることができ、ワイプが濡れた食器と接触する場合、界面活性剤に対する水の進入を制限すると本発明者らは考える。それ故に、ワイプが使用される場合、ワイプからの界面活性剤の放出は制限可能である。
【００１８】
ポリマーは、洗浄組成物自体において、陰イオン性である側鎖を有し、好ましくは、４〜２０の範囲のｐＫａを有する。
従って、側鎖は、酸基であってもよいが、但し、これらの酸基のｐＫａは、洗浄組成物中で普及しているｐＨ条件下で塩形態であるのに十分なだけ低い。一般的に、ｐＫａ８．５以下を有する酸基は、洗浄組成物中で陰イオン性側鎖を形成し、好ましくは、ｐＫａは８を超えない。一般的に、少なくとも４であり、好ましくは、４〜７である。
側鎖は、例えば、カルボキシレート、サルフェート、又はスルホネートであることができ、このポリマーは、酸又は塩形態において組成物に提供可能であり、但し、塩形態は組成物中に存在する。
【００１９】
陰イオン性側鎖及び／又は洗浄組成物それ自体において陰イオン性である側鎖を有するポリマーを含むことは、陰イオン性ポリマーが界面活性剤の溶解を阻害するネットワークを形成する大きな能力に少なくとも部分的に起因して、中性ポリマーの使用よりも有利であると本発明者らは考える。さらに、陽イオン性ポリマーよりも有利な点が存在し、本発明者らは、食器洗い用洗浄組成物において使用される界面活性剤の多くは陰イオン性であるため、陰イオン性ポリマーの使用は、所望の界面活性剤の全てを放出することができなくなる、界面活性剤とポリマーとの間の過剰な錯体化を防ぐものと考えられる。
【００２０】
陰イオン性側鎖は、好ましくは、カルボキシレート基であり、本発明者らは、カルボキシレート側鎖を有する特に好ましい種類の物質が多糖類及び多糖類誘導体であることを見出した。これらのものは、特に良好な制御された放出成果を与える。
【００２１】
さらに、好ましいポリマー類は、放出の制御に貢献すると考えられるような、ヒドロキシル基又は水素結合を示すことが可能な他の基を含む。
好ましくは、多糖類又は多糖類誘導体は、１×１０5〜９×１０7、好ましくは、５×１０5〜５×１０6の分子量を有する。
【００２２】
本発明の別の好ましい実施形態では、多糖類又は多糖類誘導体は、キサンタンガム、セルロース、変性されたセルロース、グアーガム及びアラビアゴム及びそれらの混合物からなる群から選択される。好ましくは、多糖類又は多糖類誘導体はキサンタンガム及びグアーガムからなる群から選択される。最も好ましくは、約１０6の分子量を有するキサンタンガムである。キサンタンガムの誘導体は、それが陰イオン性の側鎖と、好ましくは、ヒドロキシル基とを保持するのであれば、使用することができる。
【００２３】
本発明の別の好ましい実施形態では、水溶性ポリマーはポリビニルアルコール（ＰＶＡ）である。次いで、陰イオン電荷は、ヒドロキシル基の脱プロトン化、８〜１４のｐＫａを有するそれらのアルコキシド基への変換によって組成物中で形成される。ＰＶＡは、好ましくは、１０，０００〜６０，０００ダルトンの分子量を有し、好ましくは、洗浄組成物中の分散性を高めるために部分的に加水分解される。加水分解度は、好ましくは、８５％〜９０％である。部分的に加水分解された形態では、ＰＶＡは、界面活性剤様の、優れた泡立ち特性を生じる、陰イオン性及び疎水性の両方の特性を有する。このように、それらは、起泡剤として作用し、初期の泡立ちを助ける（さらに説明される）。
洗浄組成物自体において、陰イオン性側鎖を形成する他の好ましいポリマーは、ポリアクリル酸及びポリビニルピロリドンである。
水溶性増粘ポリマーは、界面活性剤と密接に組み合わされてもよいか、又は基材上の別個の位置に配置されてもよい。
【００２４】
（水移動剤）
基材に適応された洗浄組成物は、界面活性剤から水を抜き取ることが可能な水移動剤である構造化剤をさらに含む。本発明者らは、このような構造化剤が、いくつかの様式で本発明の利益を達成することを助けると考える。第１には水移動剤が界面活性剤バルク層から水を取り除き、それによって界面活性剤系を構造化できる。特に水移動剤は、界面活性剤にラメラ不溶性形態をとらせるのが好ましい。第２に、水移動剤は界面活性剤と水溶性増粘化ポリマーとの結合を促進できる。第３に、水移動剤はまた、界面活性剤含有組成物の粘度及び降伏値を増加させることもでき、界面活性剤含有組成物バルク層への水の浸入も制限する。
【００２５】
特に、本発明者らは、水溶性増粘ポリマーと水移動剤との間の相乗的な相互作用を見出した。本発明者らは、水移動剤が、組成物からの水の蒸発のための導管の働きをし、組成物からの水喪失速度を増大させることができると考える。
「界面活性剤から水を抜き取ることができる」とは、水と水移動剤との間には、水と界面活性剤との間に存在するよりも大きな親和力が存在することを意味する。
【００２６】
本発明の好ましい実施形態において、水移動剤は、無機酸化物及び塩、特に水和可能な酸化物及び塩、とりわけケイ素、アルミニウム、亜鉛、ホウ素、リン、アルカリ土類金属及びアルカリ金属の酸化物及び塩、ならびにこれらの混合物から成る群から選択される。例としては、ケイ酸塩、ケイ酸及びシリカ、クエン酸、クエン酸塩、トリポリリン酸ナトリウム及びトリポリリン酸カリウム、硫酸ナトリウム及び硫酸カリウム、硫酸マグネシウム及び硫酸カルシウムが挙げられる。好ましくは、水移動剤は、シリカ、マグネシウムの塩、及びこれらの混合物から成る群から選択される。
【００２７】
より好ましくは、水移動剤は、シリカ、好ましくは、非晶性燻蒸シリカである。疎水性シリカは、必要な親水性を有していないため水移動剤として作用しない。
好ましくは、水移動剤は、（ＤＩＮ６６１３１に記載され、ＪＡＣＳ、第６０巻、１９３８年、３０９頁（ブルナウアー（Brunauer）、エメット（Emmet）及びテラー（Teller）による）に元々記載されるように）ＢＥＴによって測定される表面積が５〜８００ｍ2／ｇである。より好ましくは、水移動剤は、１００〜４００ｍ2／ｇの表面積を有する。
【００２８】
別の好ましい実施形態において、シリカは０．０５〜１μｍ、好ましくは、０．２〜０．３μｍの平均粒径を有する。
好ましくは、基材に適用された組成物は、２．５〜１５％、より好ましくは、５〜１０％、最も好ましくは、約６％の水移動剤を含む。
【００２９】
（水不溶性基材）
好ましくは、基材は、少なくとも２つの層、少なくとも１つの第１層及び少なくとも１つの第２層（好ましくは詰綿層）を含む。本明細書の層は、内面及び外面（層の内側及び外側）を有する。両方の場合において、層の内面は、本発明のワイプの内側又は最も内部の部分に対向するものであり、一方、層の外面は、物品の外側又は最も外部の部分に対向するものである。さらに言えば、第１層と第２層の２つの内側又は内面は互いに向かい合い、互いに隣接して位置している。しかし本明細書の以下で記載されるように、一以上の追加の層が第１及び第２層の間に存在していてもよい。これらの追加の層が存在する場合、それらは第１及び第２層の間に挟み込まれている。
好ましくは、基材層は、第１層が第２層よりも柔らかい異なる質感を有する。基材は、ワイプの外側表面の１つに研磨層をさらに含んでもよい。
【００３０】
一般に、本発明のワイプの配置は、第１層が、物品を握るのに好適な側（すなわち、握り側）により近く、一方外面に研磨層を有する第２層は、物品の洗浄される表面と接触する側（すなわち、主たる食器接触側）により近くなるように規定され得る。しかしながら、物品の両側が食器類との接触に好適である。
【００３１】
水不溶性基材の前述された設計により本明細書のワイプの洗浄性能が向上すると考えられる。基材は、物品の握り側が食器接触側と異なる質感であるように、それぞれの層又は側で異なる質感を有する。基材は、効果的な研磨用、さらにはこすり洗い用器具として作用してもよい。研磨コーティングを有する第２層を食器類と物理的に接触させることにより、基材は、油脂、焦げつき食品残物及びその他のくずのようなごみ及び汚れの洗浄及び除去を大いに助ける。さらに、好ましくは、より柔らかい第１層は、表面を拭取るのに好適であり、及び／又は本明細書のワイプのユーザーに柔らかい感触を与える。
【００３２】
更に、第１層及び第２層、並びに存在するなら追加の層は、物品の一体性を維持するために互いに結合されるのが好ましい。層は、好ましくは、共に熱点結合され、より好ましくは、超音波によって発生する熱を用いて熱点結合される。幾何学的形状及びパターン、例えば、ダイヤモンド、円、四角等が層の外面に形成され、結果として物品になるように結合を配置してもよい。
【００３３】
（第１層）
本発明において使用される水不溶性基材は、好ましくは、少なくとも１つの第１層を含み、ここでこの第１層は部分的に疎水性の不織布である。本明細書では「部分的に疎水性」とは、不織布が疎水性材料を少なくとも部分的に含むことを意味する。好ましくは第１層の不織布は、少なくとも約４０％、より好ましくは少なくとも約５０％、さらにより好ましくは約５５％〜約７５％の疎水性材料を含む。
【００３４】
疎水性材料は一般に、合成有機ポリマーを基にする。本明細書で好適な疎水性材料は、アクリル繊維、モダクリル繊維、ポリアミド繊維、ポリエステル繊維、ポリオレフィン繊維、ポリエチレン発泡体、ポリウレタン発泡体、及びこれらの組み合わせなどの合成有機ポリマーから成る群から選択される。
【００３５】
第１層に好適な材料は、セルロース系不織物、かさばらない不織物、及び吸収性不織布、並びにこれらの組み合わせから成る群から選択される。好ましくは、第１層はかさばらない不織布である。本明細書で使用する時「不織布」とは、層が、布地に織られた繊維を含んでいないことを意味する。不織布に存在する繊維は、ランダムにすることができ（即ち、無作為に並べる）又はそれらをカードすることができる（即ち、梳いて主として一方向に配向させる）。
【００３６】
第１層は、種々の天然及び合成の繊維又は材料を含んでもよい。本明細書で用いられる「天然」とは、材料が植物、動物、昆虫、又は植物、動物、及び昆虫の副産物に由来することを意味する。従来の基礎出発物質は通常、任意の一般の合成又は天然の織物長の繊維、又はそれらの組み合わせを含む、繊維状のウェブである。
【００３７】
本発明に有用で好適な天然材料としては、シルク繊維、ケラチン繊維、及びセルロース繊維が挙げられるが、これらに限定されない。好適なケラチン繊維としては、羊毛繊維、ラクダの毛繊維などから成る群から選択されたものが挙げられる。好適なセルロース繊維としては、木材パルプ繊維、綿繊維、大麻繊維、黄麻繊維、亜麻繊維、及びこれらの組み合わせから成る群から選択されるものが挙げられる。本発明においては、セルロース繊維材料が好ましい。
【００３８】
本発明に有用で好適な合成材料としては、アセテート繊維、アクリル系繊維、セルロースエステル繊維、モダクリル繊維、ポリアミド繊維、ポリエステル繊維、ポリオレフィン繊維、ポリビニルアルコール繊維、レーヨン繊維、ポリエチレン発泡体、ポリウレタン発泡体及びこれらの組み合わせから成る群から選択されるものが挙げられる。
【００３９】
天然素材から作られる不織布は、繊維の液状懸濁液から微細なワイヤースクリーン上に通常形成されるウェブ又はシートで構成されている。Ｃ．Ａ．ハンペル（C.A.Hampel）等の「化学百科事典（The Encyclopedia of Chemistry）」第３版、１９７３年、７９３〜７９５頁（１９７３年）、「アメリカーナ百科事典（The Encyclopedia Americana）」第２１巻３７６〜３８３頁（１９８４年）、及びＧ．Ａ．スムーク（G.A.Smook）の「パルプと紙の技術ハンドブック（Handbook of Pulp and Paper Technologies）」パルプ製紙工業技術協会（Technical Association for the Pulp and Paper Industry）（１９８６年）、これらはすべて参考として本明細書に組み込まれる。
本発明に有用な天然材料の不織布は、多種多様な市販品から入手してもよい。
【００４０】
不織布を作る方法は、当技術分野で周知である。一般に、これらの不織布は、乾式層形成、湿式層形成、メルトブローイング、コフォーミング、スパンボンディング、又はカーディング方法により作成することができ、これらの方法においては、初めに繊維又はフィラメントを長いストランドから所望の長さに切断し、水流又は気流に通した後、繊維の入った空気又は水をスクリーンに通してスクリーン上に付着させる。得られる層は、その生産方法又は組成に関わらず、個々の繊維を１つに固着させて自己維持型のウェブを形成する、いくつかの種類の結合操作のうち少なくとも１つの操作を受ける。本発明では、空気絡合、水流絡合、熱結合、及びこれらの工程の組み合わせを含むが、これらに限定されない種々の工程によって不織布層を調製することができる。
本発明において有用な、合成材料から製造した不織布は、幅広く市販品の中より入手可能である。
【００４１】
基材は約２０〜約２００ｇｍ-2の重量を有することが好ましい。より好ましくは、基材は約２０ｇｍ-2以上、且つより好ましくは、約１５０ｇｍ-2未満の重量を有し、秤量は約２０〜約１２０ｇｍ-2、最も好ましくは、約３０〜約１１０ｇｍ-2の範囲であることがより好ましい。基材はいかなる厚さであってもよい。典型的には、基材を水流交絡法で製造する場合、基材の厚さの平均は、約６８９．４Ｐａ（約０．１ポンド／平方インチ）の圧力で約１．２ｍｍ未満である。より好ましくは、基材の厚さの平均は、約６８９．４Ｐａ（約０．１ポンド／平方インチ）（約０．００７ｋｇ／ｍ2）の圧力で約０．１〜約１．０ｍｍである。基材の厚さは、ＥＤＡＮＡ標準不織布産業方法論（standard EDANA nonwoven industry methodology）、参照方法番号３０．４−８９に従って測定される。
【００４２】
本発明の好ましい実施形態において、第１層はカードされたスパンレース加工された部分的に疎水性の不織布である。
本発明の別の好ましい実施形態において、第１層の部分的に疎水性の不織布は、少なくとも約４０％、好ましくは、約５０％〜約７５％、より好ましくは、約５５％〜約６５％の合成繊維からなる。
本発明のさらに別の好ましい実施形態において、前記第１層の部分的に疎水性の不織布は、ポリプロピレン及びレーヨン繊維を含む。
【００４３】
（第２層）
本発明の水不溶性基材はさらに好ましくは、少なくとも１つの第２層を含み、ここで前記第２層は低密度不織布である。好ましくは、第２層は詰綿層である。本明細書で「詰綿層」とは、かさ高く弾力性の低密度の不織布構造を意味する。
【００４４】
「低密度」又はかさばる不織布とは、層が約０．００００５ｇ／ｃｍ3〜約０．１ｇ／ｃｍ3、好ましくは、約０．００１ｇ／ｃｍ3〜約０．０９ｇ／ｃｍ3の密度、及び７６Ｐａ（５ｇｍｓ／平方インチ）で約０．１０ｃｍ（０．０４インチ）〜約５．０８ｃｍ（２インチ）の厚みを有する。
【００４５】
本発明の好ましい実施形態において、第２層は少なくとも約１ｍｍ、好ましくは、約２ｍｍ〜約４ｍｍのかさばりを有する。
本発明の別の好ましい実施形態において、第２層は、約０．００００５ｇ／ｃｍ3〜約０．１ｇ／ｃｍ3、好ましくは、約０．００１ｇ／ｃｍ3〜約０．０９ｇ／ｃｍ3の密度を有する。
【００４６】
第２層に好適な材料は、セルロース系不織物、かさばる不織物、及び吸収性不織布、並びにこれらの組み合わせからなる群から選択される。好ましくは、第１層はかさばる不織布である。
第２層は、種々の天然及び合成の繊維又は材料の双方を含んでもよい。本明細書で用いられる「天然」とは、材料が植物、動物、昆虫、又は植物、動物、及び昆虫の副産物に由来することを意味する。従来の基礎出発物質は通常、任意の一般の合成又は天然の織物長の繊維、又はそれらの組み合わせを含む、繊維状のウェブである。
本発明で有用な合成材料製の低密度不織布は、多種多様な市販品から入手することができる。
【００４７】
本発明の好ましい実施形態では、低密度の不織布が、ポリエチレンテレフタレート（ＰＥＴ）、及びポリエチレン（ＰＥ）とポリエチレンテレフタレート（ＰＥＴ）から製造される二成分シースコア繊維からなる。
本発明の好ましい実施形態では、第２層は、かさ高い低密度の不織布、好ましくは、カードされた空気通過結合構造から作られる。
特に好ましい実施形態において、基材は両方詰綿層である２つの第２層を含む。
【００４８】
（追加の層）
任意選択的に本明細書の基材は、第１層と第２層との間に位置する一以上の任意の層を含んでいてもよい。本発明の好ましい実施形態において、本明細書の水不溶性基材は、前記第１層と前記第２層との間に位置する実質的に不透水性の第３層をさらに含む。本明細書において「実質的に不透水性」とは、層の水透過性が低いが有意水準ではないことを意味する。好ましくは前記第３の実質的に不透水性の層は、可塑性フィルム、より好ましくは線状低密度ポリエチレン（ＬＬＤＰＥ）又はメタロセン触媒された低密度ポリエチレンから製造される可塑性フィルムである。好ましくは、前記可塑性フィルムは、０．０２〜０．０７ｍｍの範囲の厚みを有する。
【００４９】
本発明のさらなる態様によれば、洗浄組成物が適応された水不溶性基材を含むワイプであって：前記洗浄組成物が、
（ａ）界面活性剤、及び
（ｂ）界面活性剤から水を抜き取ることが可能な水移動剤、を含み、
ただし、基材が、水不溶性基材ではなく、以下：
（１）部分的に疎水性の不織布である第１層；及び
（２）低密度不織布であり、前記第１層に隣接し、前記第１層から離れた側面上に、熱可塑性材料の結節又はフックの研磨コーティングが混合された第２層を含む。
【００５０】
（洗浄組成物の形態及び適用）
基材に適用された組成物は、基材の表面全体に均等に分布するか、又は表面の一部分に適用されてもよい。好ましくは、組成物は、基材の一部分に適用される。さらに好ましくは、組成物は、ストリップ状パターンで適用される。好ましくは、ストリップ状パターンは、少なくとも１つのストリップ、好ましくは、１〜６つのストリップ、より好ましくは、３〜６つのストリップ、さらにより好ましくは、５つのストリップを有する。好ましくは、ストリップはワイプの全長にわたって延びる。ストリップは、好ましくは、少なくとも３ｍｍ、好ましくは、５ｍｍ〜１５ｍｍの幅を有する。
【００５１】
洗浄組成物のストリップの適用中に、ワイプに適用された熱及び圧力を制御することによって、組成物はストリップ形態に保持されるか、又は単一の連続フィルムに結合することができる。
ワイプ上の組成物の表面積は、ワイプが使用される場合、界面活性剤の放出速度を改変するために使用可能である。概して、より少なく、より細いストリップは、ワイプからの界面活性剤の放出をさらに遅くする。このことは、使用中に水にさらされる組成物の表面積が減る結果であると考えられる。
【００５２】
好ましい実施形態では、本明細書中の水性組成物（及び最終製品における洗浄組成物）は、本明細書の少なくとも１つの層（好ましくは、前記第２層）の表面の少なくとも約３０％、好ましくは、本明細書中の少なくとも１つの層（好ましくは、前記第２層）の表面の約７０％〜約９５％を覆う。組成物が単一層として適用される場合、このことは特に好ましい。好ましくは、組成物は、基材の縁まで延びない。従って、基材の縁で、基材領域の好ましくは、少なくとも２％、さらに好ましくは、少なくとも５％が、洗浄組成物が適用されていない。このことは、界面活性剤の放出の制御に貢献する。
【００５３】
さらに、好ましくは、組成物は、基材の中心領域から離れて濃縮される。さらにこれにより、消費者が使用時にワイプ上にほとんどの圧力をかける領域から離れて組成物が濃縮されているため、放出の制御が最大限行われる。
【００５４】
基材に適応された組成物を作る構成成分は、あらかじめ混合されてもよく、あらかじめ混合された組成物が基材に適用される。あるいは、構成成分は、１つ以上の組成物構成成分として基材に適用されてもよい。「基材に適応された組成物」とは、１つ以上の組成物構成成分において、水不溶性基材に適応された全物質を意味する。
【００５５】
特に、いくつかの実施形態において、基材に適応された濃縮された界面活性剤ペーストはまた、水溶性増粘ポリマーを含む。他に好ましい実施形態では、さらに、水移動材を含む。好ましくは、水溶性増粘ポリマー及び水移動剤の両方を含む。
しかし、本発明はさらに、界面活性剤を含む第１の組成物構成成分が基材に適用され、水溶性増粘ポリマーを含有する第２の組成物構成成分が基材に別個に適用される場合、良好な結果を与えることができる。所望な場合、水移動剤を含む第３の組成物構成成分は、別個に適用することができるが、好ましくは、水移動剤は、界面活性剤と同じ組成物構成成分中に含まれる。
【００５６】
一般的に、基材に適応された洗浄組成物、及び基材に適応された組成物を形成するいずれかの組成物構成成分も、基剤に適用され、乾燥される水性組成物として提供される。このような水性組成物は、好ましくは、全水性組成物に基づいて、５〜６０重量％、好ましくは１０〜５０重量％、さらに好ましくは１５〜４５重量％の水分含有量を有する。
【００５７】
基材に適用するための好ましい界面活性剤を含有する水性組成物は、２〜８５重量％、好ましくは、４〜８１重量％、さらに好ましくは、１６〜６１重量％の水を含有する。界面活性剤を含有する組成物中の水溶性増粘ポリマーの好ましい量は、１〜１０重量％、好ましくは、１．５〜８重量％、さらに好ましくは、３〜７重量％である。界面活性剤を含有する水性組成物中の水移動剤／構造化剤の好ましい量は、１〜１０重量％、好ましくは、１．５〜８重量％、さらに好ましくは、２．７５〜７重量％である。陰イオン性界面活性剤の好ましい濃度は、５〜７５重量％、好ましくは１０〜７０重量％、さらに好ましくは２５〜６０重量％である。両性界面活性剤の好ましい濃度は、２〜１５重量％、好ましくは、２．７〜１３．４重量％、さらに好ましくは、２．７〜１３．４重量％、最も好ましくは、５．４〜１１．８重量％である。非イオン性界面活性剤の好ましい濃度は、０．１〜１０重量％、好ましくは０．４〜５重量％、さらに好ましくは１．５〜４．５重量％である。
好ましくは、界面活性剤を含有する水性組成物はまた、洗浄性能及び起泡性能を高めるための追加の成分を、０．２５〜２重量％、好ましくは、０．６〜１．５重量％の量で含む。
【００５８】
界面活性剤ペースト（又は基材に適用するための界面活性剤を含有する他の水性組成物）の特に好ましい成分、及びそれらの好ましい量は以下のようになる。好ましい界面活性剤ペーストは、列挙された成分の全てを含有する。
【００５９】
【表１】
2006505372.tif 000002
上の議論からわかるように、水溶性増粘ポリマーは、界面活性剤と同じ組成物構成成分中に含有することができる。しかし、しばしば界面活性剤ペーストの形態で、基材に適用され、乾燥され第１の組成物構成成分を形成し、水溶性増粘ポリマー及び任意に他の成分を含む第２の水性組成物を提供する、界面活性剤を含む水性組成物を提供することも可能である。このような水性組成物において、水溶性増粘ポリマーの濃度は、例えば、水性組成物に基づいて、０．５〜１２重量％、好ましくは１〜１０重量％、さらに好ましくは３〜８重量％であることができる。
【００６０】
水不溶性基材は、１つより多い層を含んでもよい。本発明のワイプは、これらに限定されないが、散布、ディップコーティング、噴霧、スロットコーティング、及びロール転写（例えば、圧力ロール又はキスロール（kiss roll））等の常法によって、組成物を水不溶性基材に適用することによって製造されてもよい。残った層又は複数の層は、存在する場合、好ましくは、界面活性剤を含有する組成物の上に配置されてもよい。水不溶性基材が１つより多い層を含むワイプにおいて、これらの層は、好ましくは、熱スポットシーリングによって密閉される。研磨コーティングは、熱可塑性材料（好ましくはホットメルト接着剤）をスクリーン印刷することによって、又はポリマー性スクリムを適用することによって層に適用されてもよい。次に、ワイプは、消費者が使用する単位に分割することができる。任意の製造工程として、用品をカレンダにかけて平滑化する工程、乾燥工程及びクレーピング、が挙げられる。
【００６１】
好ましくは、洗浄組成物は香料を含む。水溶性増粘ポリマー及び水移動剤の使用により、香料を安定化し、この場合には、洗浄組成物が、ホットメルト添加方法によって適用可能であることがわかった。
適用及び乾燥後の基材上の洗浄組成物の全濃度（別個の構成成分が使用される場合、全組成物構成成分全体）は、好ましくは、０．０５〜２ｇ／ｃｍ2、好ましくは０．０１〜１ｇ／ｃｍ2、さらに好ましくは０．０２〜０．０８ｇ／ｃｍ2の範囲である。
【００６２】
（ワイプ）
好ましくは、本発明のワイプは、実質的に使用前に手触りで乾燥状態である。
「手触りで乾燥状態（dry-to-the-touch）」とは、触ったときにワイプが湿っているか又は濡れていると感じる（例えば、基材が液体及び一般的に低粘度の組成物中に含浸される（すなわち、浸される）濡れたワイプ又はあらかじめ湿らせたワイプの感触）量で、ワイプが水又は他の溶媒を含まないことを意味する。従って、本発明のワイプは、好ましくは、濡れていないか、又はあらかじめ湿らせた種類のものではない。
【００６３】
好ましくは、ワイプは、以下の水分試験が適用される場合、４及び５の範囲内である：使い捨てバウンティ（Bounty（商標））キッチンタオルの乾燥シートをワイプの上に置き、ワイプ全体を１層のバウンティ（Bounty）キッチンタオルで覆う。３ｃｍ四方の５０グラムの重りをワイプ及びバウンティシートの上部に置く。重りを１分間放置し、次いで取り除く。上述の試験方法の間、ワイプからバウンティシートに移行した水分の量は、ワイプの湿り気の尺度である。バウンティシートを光源に掲げ、バウンティシートの外観における視覚的な変化として認識される水分の跡の存在について次の基準に従って視覚的に分類する。基準は、重りによって覆われていたバウンティシート３ｃｍ四方の領域（重り領域）における水分跡の％範囲に基づく。
【００６４】
【表２】
2006505372.tif 000003
さらに、好ましくは、ワイプは実質的に乾燥している。すなわち、約１２ｍｇ／ｃｍ2未満、好ましくは、約６ｍｇ／ｃｍ2未満、さらに好ましくは、約２ｍｇ／ｃｍ2未満の水分保湿値を示す。水分保湿値は、ユーザが、「濡れた」ワイプの感触と対照的に、本発明のワイプを触ったときに認識する乾いた感触を示す。
【００６５】
本ワイプの保湿値を定量するために、次の装置及び材料が必要である。
【００６６】
【表３】
2006505372.tif 000004
【００６７】
次に、２枚のペーパータオルを別々に計量し、各重量を記録する。１枚のペーパータオルを平らな面（例えば、実験室の作業台）上に置く。サンプルワイプを、そのペーパータオルの上に置く。もう一枚のペーパータオルをサンプルワイプの上に置く。次にレキサン（Lexan：登録商標）、次いで２０００グラムの重りを、挟み込まれたサンプルワイプの上に置く。１分間待つ。１分後、重りとレキサン（Lexan）（登録商標）を取り除く。頂部及び底部のペーパータオルを計量し、重量を記録する。
【００６８】
頂部及び底部の両方のペーパータオルについて、最終重量（１分後）から初めのペーパータオル重量を引くことによって、保湿値を算出する。頂部及び底部のペーパータオルについて得られた重量差を足す。多数のサンプル物品について試験することを想定して、総重量差を平均して保湿値を得る。
【００６９】
本発明に係るワイプは、一般的にシート形態である。それらは、約１０〜約２０ｃｍの長さ、約１０〜約２０ｃｍの幅及び約２〜約５ｍｍの厚みを有し得る。
本発明のワイプは、好ましくは「使い捨て」である。本明細書中で「使い捨て」とは、界面活性剤が使い果たされると、ワイプが捨てられることを意味する。使用中にワイプから放出される界面活性剤を含有する組成物を消費者が交換することによって、任意のさらなる洗浄組成物がワイプに適用されることは意図されない。好ましくは、ワイプは、ワイプが捨てられる前に、消費者によって少なくとも２回使用される。例えば、手動食器ケア適用における１回使用は、４人家族世帯で１日にたまる家庭用品を手動食器洗浄によって洗浄することとして定義される。
【００７０】
本発明の利点は、改良された「耐久力」が得られることである。すなわち、本発明は、従来技術よりも、界面活性剤の制御放出を可能にし、それ故、さらに長い時間、有効な泡立ち及び／又は有効な洗浄を可能にし、特に、非常に多くのアイテムを洗浄することが可能である。
【００７１】
耐久力は、（以下のプロトコルを用いて）１枚のワイプによって、５ｇの汚れを効果的に洗浄する２４ｃｍ直径の皿の数として定義することができる。好ましくは、本発明のワイプは、ワイプあたり、少なくとも１６、好ましくは少なくとも１８、さらに好ましくは少なくとも２０の耐久力を与え、好ましい場合には、少なくとも２２の皿を洗浄する。特に好ましい実施形態では、耐久力は、少なくとも２５、好ましくは少なくとも３０、幾つかの場合において、少なくとも３５皿であることができる。
【００７２】
さらに、耐久力は泡立ち等級の観点で決定することができる。特に、本発明のワイプは、（以下に記載されるプロトコルを用いて）少なくとも１２、好ましくは少なくとも１５、さらに好ましくは少なくとも２０皿の洗浄後に（以下に議論されるスケールで）少なくとも３の泡立ち等級を示す。特に好ましい実施形態では、泡立ち等級は、少なくとも２５、好ましくは少なくとも３０皿洗浄後に、少なくとも３であることができる。
【００７３】
水溶性増粘ポリマーの使用を必要とする本発明の態様の利点は、水溶性増粘ポリマーを含むことによる耐久性の向上によって示すことができる。従って、水溶性増粘ポリマーを必要とする本発明の態様のワイプが、水溶性増粘ポリマーが存在しないワイプと比較して、耐久力における増加が定義可能である。耐久力における増加は、有効に洗浄される皿の数の増加又は泡立ち等級が３以上である皿の数の増加として定義可能である。この比較を用いて、この向上は、好ましくは少なくとも２、さらに好ましくは少なくとも５、幾つかの場合には少なくとも８皿である。
【００７４】
ワイプの湿分含量は、初期の泡立ち生成、及びワイプの耐久力に影響を与える。初期の泡立ちは、泡が生成するという消費者にとって重要なシグナルである。ポリマー鎖間の分子内のＨ結合相互作用の幾つかが水で置換され、より多くの多孔質構造を生じると考えられる。このことにより、界面活性剤が洗浄中に染みだして溶解し、洗浄において初期に高いレベルの泡が生じる。しかし、このことは、界面活性剤をより早く消費し、耐久力の低下につながる。それ故に、ワイプの湿分含量は、高い初期の泡立ち及び長い耐久力に最適な効果を得るように、ポリマー濃度及び種類で調整されなければならない。
【００７５】
好ましくは、本発明のワイプは、洗浄組成物は、１５％を超えない、好ましくは１０％を超えない濃度の遊離水を有する。遊離水は、共沸蒸留によって容易に失うことが可能な、水の全組成物に対する重量パーセントとして測定可能である。
【００７６】
ワイプが適切な量の界面活性剤を放出するための洗浄数は、他の因子の中で、ユーザーがワイプに適用する圧力の量に依存する。典型的には、ワイプは、５０〜６０００Ｐａ、特に１６０〜４５００Ｐａの圧力で使用されると予想される。
【００７７】
本発明の全ての態様のワイプは、ワイプ又は表面を濡らし、ワイプを表面に適用して汚れを除去することによって、汚れた表面洗浄のために使用することができる。それらは、特に、食器、カップ、カトラリー、ガラス類、食品保存容器、調理用具（調理器具）などを含む「食器類」を洗浄するための手での食器ケア用途に好適である。それらはまた、家庭の硬質表面、特に台所における硬質表面、例えばシンク、調理台、設備、器具などの洗浄に有用であり得る。
【００７８】
本発明のさらなる態様によれば、以下の工程を含む食器ケア方法であって：
（ａ）界面活性剤、及び
（ｂ）陰イオン性側鎖及び／又は洗浄組成物それ自体において陰イオン性である側鎖を有する水溶性増粘ポリマー、を含む組成物が適応された水不溶性基材を含む使い捨てワイプを提供する工程、
このワイプを水で濡らす工程、及び
汚れを除去するために、この濡れたワイプを汚れた食器に適用する工程、が提供される。
【００７９】
本発明のなおさらなる態様によれば、以下の工程を含む食器ケア方法であって：
（ａ）界面活性剤、及び
（ｂ）陰イオン性側鎖及び／又は洗浄組成物それ自体において陰イオン性である側鎖を有する水溶性増粘ポリマー、を含む組成物が適応された水不溶性基材を含む使い捨てワイプを提供する工程、
汚れた食器を提供する工程、
この汚れた食器を濡らす工程、及び
汚れを除去するために、ワイプを濡れている汚れた食器に適用する工程、が提供される。
【００８０】
本発明のなおさらなる態様によれば、以下の工程を含む汚れた食器を洗浄する方法であって：
（ａ）界面活性剤、及び
（ｂ）２．５〜１０重量％の、陰イオン性側鎖及び／又は洗浄組成物それ自体において陰イオン性である側鎖を有する水溶性増粘ポリマー、を含む洗浄組成物が適応された水不  溶性基材を含む使い捨てワイプを提供する工程、
前記ワイプを水で濡らす工程、及び
汚れを除去するために、濡らしたワイプを汚れた食器に適用する工程、が提供される。
【００８１】
本発明のなおさらなる態様によれば、以下の工程を含む汚れた食器を洗浄する方法であって：
（ａ）界面活性剤、及び
（ｂ）２．５〜１０重量％の、陰イオン性側鎖及び／又は洗浄組成物それ自体において陰イオン性である側鎖を有する水溶性増粘ポリマー、を含む洗浄組成物が適応された水不  溶性基材を含む使い捨てワイプを提供する工程、
前記汚れた食器を水で濡らす工程、及び
汚れを除去するために、ワイプを濡れている汚れた食器に適用する工程、が提供される。
【００８２】
（食器洗浄スポンジ）
本発明の洗浄組成物はさらに、食器洗浄用スポンジに適用されるのが有利であり得、本発明のさらなる態様において、本発明者らは、
（ａ）界面活性剤、
（ｂ）陰イオン性側鎖及び／又は洗浄組成物それ自体において陰イオン性である側鎖を有する水溶性増粘ポリマー、及び
（ｃ）界面活性剤から水を抜き取ることが可能な水移動剤、を含む洗浄組成物を染みこませた食器洗浄用スポンジを提供する。
【００８３】
あるいは、組成物は、（ａ）界面活性剤、及び（ｂ）洗浄組成物の少なくとも３重量％のキサンタンガム又はそれらの誘導体を含むことができる。
あるいは組成物は、（ａ）界面活性剤、及び（ｂ）洗浄組成物の５〜９重量％の陰イオン性、側鎖及び／又は洗浄組成物それ自体において陰イオン性である側鎖を有する水溶性増粘ポリマーを含むことができる。
あるいは、組成物は、（ａ）界面活性剤、及び（ｂ）界面活性剤から水を抜き取ることが可能な水移動剤を含むことができる。
これらの態様では、上述の組成物の好ましい特徴は、適用可能である場合、使用してもよい。
さらに、スポンジは研磨層を有することができる。スポンジは、例えば、天然セルロース又は合成材料から形成することができる。
【００８４】
（任意の添加成分）
本発明に係るワイプにおいて使用される洗浄組成物は、食器類ケア又は硬質表面洗浄において使用するために公知の任意の他の適切な成分を含んでもよい。
組成物はさらに、ジアミン類、ポリマー泡安定化剤、フィルム形成ポリマー、着色剤、香料及び香料送達剤、安定剤、溶媒、密度制御剤、乾燥剤、屈水性誘発物質、塩、凝固剤、保存剤、水スポッティング／フィルム形成／乾燥制御剤、及びこれらの混合物を含んでもよい。
【００８５】
（実施例１）
界面活性剤を含有する組成物構成成分は、次のような界面活性剤ペースト組成物を適用することによって、基材（基材を製造する方法は以下で議論される）に適用される：
１分子あたり平均０．６ＥＯ基を有する、４８％のアルキルエトキシサルフェート
５．４％のネオドール９１−８非イオン性界面活性剤
１０．８％のアミンオキシド両性界面活性剤
０．９％の１，３−シクロヘキサンビス（メチルアミン）
０．４％のポリジメチルアミノエチルアクリレート
残部の水
【００８６】
この組成物７．５ｇが、一連のストリップとして５層の水不溶性基材に適用される。基材は、ポリマー性スクリム層と、２つのバッティング層と、ポリマー性膜層及び不織布トップシート層とを備えていた（この順序で配置される）。組成物は、詰綿層の１つとポリマー性膜層（以下に詳細が与えられる）との間に配置された。これらはコントロールワイプＡであった。
【００８７】
本発明のワイプＢは、洗浄組成物９５重量％とキサンタンガム５重量％とを混合し、この混合物７．５ｇを同様の様式で基材に適用することによって製造された。
本発明のワイプＣは、洗浄組成物９５重量％とキサンタンガム７．５重量％とを混合し、この混合物７．５ｇを同様の様式で基材に適用することによって製造された。
本発明のワイプＤは、洗浄組成物８８重量％と非晶性燻蒸シリカ５重量％とキサンタンガム７重量％とを混合し、この混合物７．５ｇを同様の様式で基材に適用することによって製造された。
ワイプの湿分含量を、室温で７日間硬化させるか、又は５０℃において８時間オーブンで乾燥させるかのいずれかによって、約５％に安定化させた。
【００８８】
洗浄される皿の数が増加するにつれて泡立ち等級を示す結果は、以下の表１に与えられる。
【００８９】
【表４】
2006505372.tif 000005
これらの結果は、本発明に係るワイプＢ及びＣ及び特にＤが、本発明に係らないワイプＡよりもさらに長期間、さらに大きい泡立ち等級を示すことを示す。
【００９０】
（実施例２）
界面活性剤を含有する組成物構成成分は、次のような界面活性剤ペースト組成物を適用することによって、基材（基材を製造する方法は以下で議論される）に適用される：
１分子あたり平均０．６ＥＯ基を有する６２．３％のアルキルエトキシサルフェート
４．７０％のネオドール９１−８非イオン性界面活性剤
１４．１１％のアミンオキシド両性界面活性剤
１．２０％の１，３−シクロヘキサンビス（メチルアミン）
０．５％のポリジメチルアミノエチルアクリレート
１％のＮａＯＨ
０％〜４％のポリマー（ポリビニルアルコール、ポリアクリル酸、ポリビニルピロリドン）
残部のＨ2Ｏ
【００９１】
本発明のワイプＥを、ポリマー０％と、水不溶性基材に添加される上述の組成物４．５ｇとを用いて製造した。これらはコントロールワイプであった。
本発明のワイプＦを、ポリビニルアルコール４％を用いて製造し、この混合物４．５ｇを基材に適用することにより製造した。
本発明のワイプＧを、ポリアクリル酸ポリマー４％を用いて製造し、この混合物４．５ｇを基材に適用することにより製造した。
本発明のワイプＨを、ポリビニルピロリドン４％を混合し、この混合物４．５ｇを基材に適用することにより製造した。
【００９２】
【表５】
2006505372.tif 000006
ワイプＦ、Ｇ及びＨは、界面活性剤ペースト中に含有されるポリマーの陰イオン性に荷電した形態に起因して、持続性の泡立ち及びさらに大きい耐久力を示す。
【００９３】
（ワイプの調製）
ウェブの幅方向に２０ｍｍの距離で離れていて、ウェブの各側で平行線を作る幅約１２ｍｍの５本の線状に、コーティングの先端を介して連続して押出すことによって、界面活性剤ペーストを基材の詰綿層の一方の側に適用する。
ペーストを既に保持する第２層（上記を参照）を、第１層と界面活性剤含有層とを接触させながら第１基材上に連続的に送る。ウェブを横切って、均一に間隔を空けた直径８ｍｍの長いシール点の格子を含むティルデ（tilde）形状のドットパターンをシールする、超音波シール機にウェブを連続的に送りこむ。物品当り合計約７０個のシール点を有する、約１２０ｍｍ×１６０ｍｍの矩形で、角の丸い個々の物品にウェブを切断する。
【００９４】
（泡立ち等級を決定するためのプロトコル）
（必要とされる物質）：
ワイプ
汚れ：（汚れの作成の記載については以下を参照）
セラミック皿（直径約２４ｃｍ以下を有する黒色）
皿ラック
グローブ
皿を汚すためのブラシ
残部
温度計
水道水を流す供給源／シンク
水の流速を設定するためのタイマー
【００９５】
（試験条件）：
皿あたりの汚れの量：５ｇ（±０．１ｇ）
水の硬度：１２０ｍｇ／Ｌ（７ｇｐｇ）（ＵＳ１ガロンあたりのグレイン、１グレイン＝６４．８ｍｇのＣａＣＯ３）（ＵＳ条）ヨーロッパ条件２５７ｍｇ／Ｌ（１５ｇｐｇ）
水温度：３３℃（±１℃）
水流速：６Ｌ／分
【００９６】
（汚れをつける手順）：
・以下に記載されるように汚れを調製し、フードプロセッサーで十分に混合して均一な濃度を確保する。
・皿を天秤に置き、汚れ５ｇを秤量する。小さなブラシを使って、均一に分布するまで（汚れの直径は約１０ｃｍ以下）各皿の上で汚れを広げる。
・皿ラックに皿を置く。汚れた皿は、最初の皿に汚れをつけてから３０分以内に使用しなければならない。最初に汚れをつけた皿を、試験方法中は最初に洗浄する。
【００９７】
（洗浄手順）：
１．水道水を３３℃で６Ｌ／分で流す。
２．オペレーターの手にグローブをはめる。
３．ワイプの上に２０ｍＬの水を注ぐ（均一に広げる）。
４．最初の皿を置き、皿を水流に対して汚れた側を（ほとんど垂直に）すばやく流す（１秒以下）。洗浄を開始する前に皿を垂直に保持する。
５．汚れた皿を、ワイプの堅い面を用いて、循環運動で皿の前面及び背面を洗浄する：１０回の時計回りの循環運動、及び皿の前面について１０回の逆時計回り、皿の背面について６回の回転。 洗浄の間、親指と残りの指との間にワイプを保持する。
６．泡等級スケールに基づいて皿の等級をつける。
７．水道水で皿をすすぎ、わきに置く（少量の汚れが残っていたとしても）。
８．水流を通して、前後に３回通すことによってワイプをすすぐ。
９．グローブから泡を洗い流す。
１０．ラックから次の皿を出し、水流に皿をすばやく通す。
１１．ステップ４〜１０までの洗浄手順を繰り返す。ステップ７〜１０は、１５秒以内に行うべきである。
１２．各１０皿を洗浄し、水流を３回通した後に一旦ワイプを軽く絞る。絞った後再び１回通す。このことにより、過剰に蓄積した汚れをワイプから除去し、試験を進めるために必要な泡放出を容易にすることができる。これは、消費者が洗浄を続けるためにする必要があることに関連する。
１３．泡が皿、グローブ又はワイプに残らなくなったらすぐに、終点に達する。終点に到達したことが確実になれば、試験を終了する：ワイプを指の間で押す；指の間に汚れのみが通る場合、終点に到達している。
【００９８】
（汚れの調製）
（１）前作業
１．ビーカーにカルボナード（ビーフキューブ）を置く。
２．電子レンジに２分間（７８０ワット）置く。
３．カルボナードをナイフで小片に切断する。
４．カルボナードを混合する（手動ブレンダー）
５．以下から作成される汚れ１００ｇを検量する：
【００９９】
【表６】
2006505372.tif 000007
６．卵を溶き、正確に１５ｇを検量する。
７．全脂肪乳を水に注ぐ。
８．グリース（ブラン・ド・ブッフ、マーガリン、バター、豚肉の脂肪）及び油類（マゾーラ油及びオリーブ油）の全含量を１つのビーカーに検量し、電子レンジに１分間（７８０ワット）置く。次いで、（汚れ混合物を添加する前に）ティースプーンで穏やかにかき混ぜて、全てを十分に混合する。
【０１００】
（２）混合する（手で混ぜる）：ビーカー中で、以下の手順で全ての成分を添加する：
１．ミルク粉末を小麦粉に注ぐ。
２．水＋ミルクを小麦粉＋ミルク粉末に注ぐ。
３．混合を開始する。
４．混合したカルボナードを正確に検量したものを添加する。
５．混合を続ける。
６．インスタントマッシュポテト５０％と溶き卵５０％とを添加する。
７．混合を続け、インスタントマッシュポテト及びとき卵の残りを穏やかに添加する。
８．混合を続ける。
９．グリース及び油の混合物を穏やかに注ぎ、混合を続ける。
１０．ミキサーを時間で止め、縁に引っ掛けたまま汚れを取り去り、汚れが均一に成るまで混合を続ける（約１５分）。
【０１０１】
（泡等級のスケール）
０  泡立ちなし
１  非常にわずかな泡粒子が目に見える
２  わずかな不規則な泡がはりついている
３  ほとんどの皿の上にさらに不規則に全体的な泡が目に見える
４  ほとんどの皿の上に様々な厚さのいくつかの泡あり
５  皿全体に均一な中程度の泡
６  皿全体にわずかに中程度の厚い全体的な泡
７  皿全体に中程度の厚い全体的な泡
８  皿全体に非常に密度の高い不規則な全体的な泡
９  皿全体に厚い非常に密度の高い不規則な泡
１０  皿全体に非常に厚い非常に密度の高い不規則な泡
【０１０２】
（水溶性増粘ポリマーとしてポリビニルアルコール、ポリアクリル酸又はポリビニルピロリドを含むワイプの製造）
水溶性増粘ポリマーと界面活性剤ペースト（名目上水分３５％）の両方を、混合前にポリマーの融点よりも高い温度に加熱する。次いで、ポリマー及び界面活性剤ペーストの混合物を、拭き取りフィルム蒸発器、ドラム乾燥機、回転減圧乾燥機、連続トレイトンネル、減圧シェルフバッチから選択される市販の乾燥装置、又はプロセス温度を精密に制御しつつ蒸気相中に水を除去するための他の好適な装置の１つを用いて、１５％以下の水分量まで乾燥させる。特に、減圧乾燥装置が利用される場合、混合物の顕著な空気混入を避けるために特定の考慮がなされなければならない。好ましくは、混合物の分解を防ぐために、この混合物を１２０℃を超える温度に５〜１０分を超えてさらしてはならず、１１０℃を超える温度に３０分を超えてさらしてはならない。得られた乾燥した熱い皿を６０〜８０℃に維持する。ワイプ基材にペーストを適用するのに非常に近い静電ミキサーを含む最終生成物差別化プロセスを介して、香料及び着色剤を添加してもよい。所望のペースト幅及び厚みを作り出す開口部を有する狭いオリフィスを介して混合物を押し出すことにより、完全に混合した構造化ペーストを基材に適用する。ペーストのべとつきがワイプのさらなる加工に悪い影響を与えることを防ぐために、適用されたペーストがポリマーの融点未満の温度まですばやく確実に冷却されるように供給が行われなければならない。
【国際調査報告】
2006505372.tif 000008
2006505372.tif 000009
2006505372.tif 000010
2006505372.tif 000011
2006505372.tif 000012